【手続補正書】
【提出日】令和2年6月16日(2020.6.16)
【手続補正１】
【補正対象書類名】特許請求の範囲
【補正対象項目名】全文
【補正方法】変更
【補正の内容】
【特許請求の範囲】
【請求項１】
ビデオデータを復号する方法であって、
ビデオデコーダが、現在の量子化グループに関する局所的な量子化情報を、前記ビデオデータの符号化表現を備えるビットストリームにおいて受信することと、
前記ビデオデコーダが、複数のコード化単位（ＣＵ）への前記ビデオデータのピクチャのコード化ツリー単位（ＣＴＵ）の区分化を決定すること、前記複数のＣＵは、１つまたは複数の非正方形ＣＵを含む、と、
前記ビデオデコーダが、量子化パラメータを、前記現在の量子化グループに関する前記局所的な量子化情報に少なくとも部分的に基づいて導出すること、ここにおいて、前記現在の量子化グループは、前記現在の量子化グループの境界が必ず前記ＣＵの境界となり、かつ、前記現在の量子化グループのサイズが閾値以上となるような、前記複数のＣＵ中の、コード化順序で連続したＣＵのグループとして定義され、前記複数のＣＵのうちの少なくとも１つのＣＵは、非正方形の量子化グループに含まれる、と、
前記ビデオデコーダが、現在のＣＵの少なくとも１つの変換係数を、前記量子化パラメータに基づいて逆量子化すること、前記現在のＣＵは、前記現在の量子化グループ中の前記ＣＵのうちの１つである、と、
前記ビデオデコーダが、前記現在のＣＵのコード化ブロックを、前記現在のＣＵの逆量子化された変換係数に基づいて再構築することと
を備える、方法。
【請求項２】
ビデオデータを符号化する方法であって、
ビデオエンコーダが、複数のコード化単位（ＣＵ）への前記ビデオデータのピクチャのコード化ツリー単位（ＣＴＵ）の区分化を決定すること、前記複数のＣＵは、１つまたは複数の非正方形ＣＵを含む、と、
前記ビデオエンコーダが、現在のコード化単位（ＣＵ）の少なくとも１つの変換係数を、量子化パラメータに基づいて量子化すること、前記現在のＣＵは、現在の量子化グループ中にあるか、または前記現在の量子化グループ中のコード化ブロックに対応し、ここにおいて、前記現在の量子化グループは、前記現在の量子化グループの境界が必ず前記ＣＵの境界となり、かつ、前記現在の量子化グループのサイズが閾値以上となるような、前記複数のＣＵ中の、コード化順序で連続したＣＵのグループとして定義され、前記複数のＣＵのうちの少なくとも１つのＣＵは、非正方形の量子化グループに含まれる、と、
前記ビデオエンコーダが、前記現在の量子化グループに関する局所的な量子化情報を、前記ビデオデータの符号化表現を備えるビットストリームにおいてシグナリングすること、ここにおいて、前記量子化パラメータは、前記現在の量子化グループに関する前記局所的な量子化情報に少なくとも部分的に基づいて導出可能である、と、
前記ビデオエンコーダが、前記現在のＣＵの前記量子化された変換係数を表す１つまたは複数のシンタックス要素を、前記ビットストリーム中に含めることと
を備える方法。
【請求項３】
前記現在の量子化グループは、正方形ではない、、または
次の量子化グループが前記ＣＴＵの次のＣＵから始まることを、前記現在の量子化グループ中のＣＵの累積サイズが前記閾値以上であることに基づいて決定することをさらに備える、、または
前記閾値は、第１の閾値であり、前記方法は、前記現在の量子化グループの累積サイズが前記第１の閾値より大きくないときでさえ、第２の閾値以上のサイズを有する前記ＣＴＵのＣＵごとに新たな量子化グループを開始することをさらに備える、、または
前記現在の量子化グループを含む複数の量子化グループのそれぞれの量子化グループごとに、前記それぞれの量子化グループが非ゼロ量子化係数を含むとき、多くても１つのセットの局所的な量子化情報が、前記それぞれの量子化グループのために前記ビットストリームにおいてシグナリングされることが許可される、
請求項１または２に記載の方法。
【請求項４】
前記ビデオデコーダが、前記閾値のインジケーションを、前記ビットストリームから取得することをさらに備える、
請求項１に記載の方法。
【請求項５】
前記ビデオエンコーダが、前記閾値のインジケーションを前記ビットストリームにおいてシグナリングすることをさらに備える、
請求項２に記載の方法。
【請求項６】
前記閾値は、第１の閾値であり、前記現在の量子化グループに関する前記セットの局所的な量子化情報は、前記現在の量子化グループに関する第１のセットの局所的な量子化情報であり、前記量子化パラメータは、第１の量子化パラメータであり、前記現在のＣＵは、第１のＣＵであり、前記方法は、
前記現在の量子化グループが第２の閾値より大きいサイズを有するＣＵを含むことに基づいて、前記ビデオデコーダが、前記現在の量子化グループに関する第２のセットの局所的な量子化情報を、前記ビットストリームから取得することと、
前記ビデオデコーダが、第２の量子化パラメータを、前記現在の量子化グループに関する前記第２のセットの局所的な量子化情報に少なくとも部分的に基づいて導出することと、
前記ビデオデコーダが、前記第２のＣＵの少なくとも１つの変換係数を、前記第２の量子化パラメータに基づいて逆量子化することと
をさらに備える、請求項１に記載の方法。
【請求項７】
前記閾値は、第１の閾値であり、前記現在の量子化グループに関する前記セットの局所的な量子化情報は、前記現在の量子化グループに関する第１のセットの局所的な量子化情報であり、前記量子化パラメータは、第１の量子化パラメータであり、前記現在のＣＵは、第１のＣＵであり、前記方法は、
前記現在の量子化グループが第２の閾値より大きいサイズを有する第２のＣＵを含むことに基づいて、前記ビデオエンコーダが、前記現在の量子化グループに関する第２のセットの局所的な量子化情報を、前記ビットストリームにおいてシグナリングすることと、
前記ビデオエンコーダが、第２の量子化パラメータを、前記現在の量子化グループに関する前記第２のセットの局所的な量子化情報に少なくとも部分的に基づいて導出することと、
前記ビデオエンコーダが、前記第２のＣＵの少なくとも１つの変換係数を、前記第２の量子化パラメータに基づいて量子化することと
をさらに備える、請求項２に記載の方法。
【請求項８】
前記複数のＣＵは、第１の複数のＣＵであり、前記第１の複数のＣＵの各それぞれのＣＵは、それぞれのルーマコード化ブロックに対応し、クロマコード化ブロックに対応せず、前記現在の量子化グループは、第１の量子化グループであり、前記量子化パラメータは、ルーマ量子化パラメータであり、前記閾値は、第１の閾値であり、前記現在のＣＵは、第１のＣＵであり、前記方法は、
前記ビデオデコーダが、第２の量子化グループに関する局所的な量子化情報を、前記ビットストリームにおいて受信することと、
前記ビデオデコーダが、第２の複数のＣＵへの前記ＣＴＵの第２の区分化を決定すること、前記第２の複数のＣＵの各それぞれのＣＵは、それぞれのクロマコード化ブロックに対応し、ルーマコード化ブロックに対応せず、ここにおいて、前記ＣＴＵの前記第２の区分化は、前記ＣＴＵの前記第１の区分化とは異なる方法で前記ＣＴＵを区分化する、と、
前記ビデオデコーダが、クロマ量子化パラメータを、前記第２の量子化グループに関する前記局所的な量子化情報に少なくとも部分的に基づいて導出すること、ここにおいて、前記第２の量子化グループは、前記第２の量子化グループの境界が必ず前記第２の複数のＣＵの前記ＣＵの境界となり、かつ、前記第２の量子化グループのサイズが第２の閾値以上となるような、前記第２の複数のＣＵ中の、コード化順序で連続したＣＵのグループとして定義される、と、
前記ビデオデコーダが、第２のＣＵの少なくとも１つの変換係数を、前記クロマ量子化パラメータに基づいて逆量子化すること、前記第２のＣＵは、前記第２の量子化グループ中の前記ＣＵのうちの１つである、と、
前記ビデオデコーダが、前記第２のＣＵのクロマコード化ブロックを、前記第２のＣＵの逆量子化された変換係数に基づいて再構築することと
をさらに備える、請求項１に記載の方法。
【請求項９】
前記複数のＣＵは、第１の複数のＣＵであり、前記第１の複数のＣＵの各それぞれのＣＵは、それぞれのルーマコード化ブロックに対応し、クロマコード化ブロックに対応せず、前記現在の量子化グループは、第１の量子化グループであり、前記量子化パラメータは、ルーマ量子化パラメータであり、前記閾値は、第１の閾値であり、前記現在のＣＵは、第１のＣＵであり、前記方法は、
前記ビデオエンコーダが、第２の複数のＣＵへの前記ＣＴＵの第２の区分化を決定すること、前記第２の複数のＣＵの各それぞれのＣＵは、それぞれのクロマコード化ブロックに対応し、ルーマコード化ブロックに対応せず、ここにおいて、前記ＣＴＵの前記第２の区分化は、前記ＣＴＵの前記第１の区分化とは異なる方法で前記ＣＴＵを区分化する、と、
前記ビデオエンコーダが、第２のＣＵの少なくとも１つの変換係数を、クロマ量子化パラメータに基づいて量子化すること、前記第２のＣＵは、前記第２の量子化グループ中の前記ＣＵのうちの１つである、と、
前記ビデオエンコーダが、前記第２の量子化グループに関する局所的な量子化情報を、前記ビットストリームにおいてシグナリングすること、ここにおいて、前記クロマ量子化パラメータは、前記第２の量子化グループに関する前記局所的な量子化情報に少なくとも部分的に基づいて導出可能である、と、
前記ビデオエンコーダが、前記第２のＣＵの前記量子化された変換係数を表す１つまたは複数のシンタックス要素を、前記ビットストリーム中に含めることと
をさらに備える、請求項２に記載の方法。
【請求項１０】
前記複数のＣＵは、第１の複数のＣＵであり、前記第１の複数のＣＵの各それぞれのＣＵは、それぞれのルーマコード化ブロックに対応し、クロマコード化ブロックに対応せず、前記量子化パラメータは、ルーマ量子化パラメータであり、前記現在の量子化グループは、第１の量子化グループであり、前記現在のＣＵは、第１のＣＵであり、
前記量子化パラメータを導出することは、
前記ビデオデコーダが、ルーマデルタ量子化パラメータを、前記第１の量子化グループに関する前記局所的な量子化情報に基づいて導出することと、
前記ビデオデコーダが、前記ルーマ量子化パラメータが前記ルーマデルタ量子化パラメータに予測ルーマ量子化パラメータを足したものに基づくように、前記ルーマ量子化パラメータを決定することと
を備え、
前記方法は、
前記ビデオデコーダが、第２の複数のＣＵへの前記ＣＴＵの第２の区分化を決定すること、前記第２の複数のＣＵの各それぞれのＣＵは、それぞれのクロマコード化ブロックに対応し、ルーマコード化ブロックに対応せず、ここにおいて、前記ＣＴＵの前記第２の区分化は、前記ＣＴＵの前記第１の区分化とは異なる方法で前記ＣＴＵを区分化する、と、
前記ビデオデコーダが、前記ルーマデルタ量子化パラメータからクロマデルタ量子化パラメータを導出することと、
前記ビデオデコーダが、クロマ量子化パラメータを導出するために、前記クロマデルタ量子化パラメータを予測クロマ量子化パラメータに加算することと、
前記ビデオデコーダが、第２のＣＵの少なくとも１つの変換係数を、前記クロマ量子化パラメータに基づいて逆量子化すること、前記第２のＣＵは、前記第２の複数のＣＵの中にある、と、
前記ビデオデコーダが、前記第２のＣＵのクロマコード化ブロックを、前記第２のＣＵの逆量子化された変換係数に基づいて再構築することと
をさらに備える、請求項１に記載の方法。
【請求項１１】
前記クロマデルタ量子化パラメータを導出することは、
前記ビデオデコーダが、前記第２のＣＵのクロマコード化ブロックの左上クロマサンプルに対応するルーマサンプルを決定することと、
前記ビデオデコーダが、前記クロマデルタ量子化パラメータが前記ルーマデルタ量子化パラメータに等しくなるように前記クロマデルタ量子化パラメータを導出すること、ここにおいて、前記ルーマデルタ量子化パラメータは、前記決定されたルーマサンプルに関連付けられる、と
を備える、請求項１０に記載の方法。
【請求項１２】
前記複数のＣＵは、第１の複数のＣＵであり、前記第１の複数のＣＵの各それぞれのＣＵは、それぞれのルーマコード化ブロックに対応し、クロマコード化ブロックに対応せず、前記量子化パラメータは、ルーマ量子化パラメータであり、前記現在の量子化グループは、第１の量子化グループであり、前記現在のＣＵは、第１のＣＵであり、
ルーマデルタ量子化パラメータは、前記第１の量子化グループに関する前記局所的な量子化情報から導出可能であり、
前記ルーマ量子化パラメータは、前記ルーマデルタ量子化パラメータに予測ルーマ量子化パラメータを足したもに基づき、
前記方法は、
前記ビデオエンコーダが、第２の複数のＣＵへの前記ＣＴＵの第２の区分化を決定すること、前記第２の複数のＣＵの各それぞれのＣＵは、それぞれのクロマコード化ブロックに対応し、ルーマコード化ブロックに対応せず、ここにおいて、前記ＣＴＵの前記第２の区分化は、前記ＣＴＵの前記第１の区分化とは異なる方法で前記ＣＴＵを区分化する、と、
前記ビデオエンコーダが、前記ルーマデルタ量子化パラメータからクロマデルタ量子化パラメータを導出することと、
前記ビデオエンコーダが、クロマ量子化パラメータを導出するために、前記クロマデルタ量子化パラメータを予測クロマ量子化パラメータに加算することと、
前記ビデオエンコーダが、第２のＣＵの変換係数を、前記クロマ量子化パラメータに基づいて量子化すること、前記第２のＣＵは、前記第２の複数のＣＵの中にある、と、
前記ビデオエンコーダが、前記第２のＣＵの前記量子化された変換係数を表す１つまたは複数のシンタックス要素を、前記ビットストリーム中に含めることと
をさらに備える、請求項２に記載の方法。
【請求項１３】
前記クロマデルタ量子化パラメータを導出することは、
前記ビデオエンコーダが、前記第２のＣＵのクロマコード化ブロックの左上クロマサンプルのような予め定義されているかまたはシグナリングされた位置に対応するルーマサンプルを決定することと、
前記ビデオエンコーダが、前記クロマデルタ量子化パラメータが前記ルーマデルタ量子化パラメータに等しくなるように前記クロマデルタ量子化パラメータを導出すること、ここにおいて、前記ルーマデルタ量子化パラメータは、前記決定されたルーマサンプルに関連付けられる、と
を備える、請求項１２に記載の方法。
【請求項１４】
前記ルーマデルタ量子化パラメータは、第１のルーマデルタ量子化パラメータであり、前記クロマデルタ量子化パラメータを導出することは、
前記第２のＣＵの前記クロマブロックのサンプルに対応するルーマサンプルについてのすべての異なるルーマデルタ量子化パラメータを識別すること、前記識別されたルーマデルタ量子化パラメータは、前記第１のルーマデルタ量子化パラメータを含む、と、
前記クロマデルタ量子化パラメータを導出するために、前記識別された異なるルーマデルタ量子化パラメータを平均化することと
を備える、請求項１０または１２に記載の方法。
【請求項１５】
前記ルーマデルタ量子化パラメータは、第１のルーマデルタ量子化パラメータであり、前記クロマデルタ量子化パラメータを導出することは、
複数の異なるルーマデルタ量子化パラメータを識別すること、前記複数の異なるルーマデルタ量子化パラメータは、前記第２のＣＵの前記クロマブロックのサンプルに対応するルーマサンプルについての各異なるルーマデルタ量子化パラメータを含み、前記複数の異なるルーマデルタ量子化パラメータは、前記第１のルーマデルタ量子化パラメータを含む、と、
前記クロマデルタ量子化パラメータを導出するために、前記複数の異なるルーマデルタ量子化パラメータを加重平均化することと
を備える、請求項１０または１２に記載の方法。
【請求項１６】
前記ビデオデコーダが、複数の重みを決定することをさらに備え、ここにおいて、前記複数の重みのそれぞれの重みごとに、前記それぞれの重みは、前記複数の異なるルーマデルタ量子化パラメータ中のそれぞれのルーマデルタ量子化パラメータに対応する前記第２のＣＵの前記クロマブロックのサンプルのフラクションに対応し、
ここにおいて、前記複数の異なるルーマデルタ量子化パラメータを前記加重平均化することは、複数の値を平均化することを備え、前記複数の値中の各それぞれの値は、前記複数のルーマデルタ量子化パラメータ中のそれぞれのルーマデルタ量子化パラメータに、前記それぞれのルーマデルタ量子化パラメータに対応する前記複数の重み中のそれぞれの重みを乗じたものに等しい、
請求項１５に記載の方法。
【請求項１７】
前記複数のＣＵは、第１の複数のＣＵであり、前記第１の複数のＣＵの各それぞれのＣＵは、それぞれのルーマコード化ブロックに対応し、クロマコード化ブロックに対応せず、前記現在の量子化グループは、第１の量子化グループであり、前記量子化パラメータは、ルーマ量子化パラメータであり、前記閾値は、第１の閾値であり、前記現在のＣＵは、第１のＣＵであり、前記方法は、
前記ビデオデコーダが、第２の複数のＣＵへの前記ＣＴＵの第２の区分化を決定すること、前記第２の複数のＣＵの各それぞれのＣＵは、それぞれのクロマコード化ブロックに対応し、ルーマコード化ブロックに対応せず、ここにおいて、前記ＣＴＵの前記第２の区分化は、前記ＣＴＵの前記第１の区分化とは異なる方法で前記ＣＴＵを区分化する、と、
前記ビデオデコーダが、クロマ量子化パラメータを、前記ルーマ量子化パラメータに基づいて導出することと、
前記ビデオデコーダが、第２のＣＵの変換係数を、前記クロマ量子化パラメータに基づいて逆量子化すること、前記第２のＣＵは、前記第２の複数のＣＵの中にある、と、
前記ビデオデコーダが、前記第２のＣＵのクロマコード化ブロックを、前記第２のＣＵの逆量子化された変換係数に基づいて再構築することと
をさらに備える、請求項１に記載の方法。
【請求項１８】
前記複数のＣＵは、第１の複数のＣＵであり、前記第１の複数のＣＵの各それぞれのＣＵは、それぞれのルーマコード化ブロックに対応し、クロマコード化ブロックに対応せず、前記現在の量子化グループは、第１の量子化グループであり、前記量子化パラメータは、ルーマ量子化パラメータであり、前記閾値は、第１の閾値であり、前記現在のＣＵは、第１のＣＵであり、前記方法は、
前記ビデオエンコーダが、第２の複数のＣＵへの前記ＣＴＵの第２の区分化を決定すること、前記第２の複数のＣＵの各それぞれのＣＵは、それぞれのクロマコード化ブロックに対応し、ルーマコード化ブロックに対応せず、ここにおいて、前記ＣＴＵの前記第２の区分化は、前記ＣＴＵの前記第１の区分化とは異なる方法で前記ＣＴＵを区分化する、と、
前記ビデオエンコーダが、クロマ量子化パラメータを、前記ルーマ量子化パラメータに基づいて導出することと、
前記ビデオエンコーダが、第２のＣＵの変換係数を、前記クロマ量子化パラメータに基づいて量子化すること、前記第２のＣＵは、前記第２の複数のＣＵの中にある、と、
前記ビデオエンコーダが、前記第２のＣＵの前記量子化された変換係数を表す１つまたは複数のシンタックス要素を、前記ビットストリーム中に含めることと
をさらに備える、請求項２に記載の方法。
【請求項１９】
ビデオデータを復号するための装置であって、
現在の量子化グループに関する局所的な量子化情報を、前記ビデオデータの符号化表現を備えるビットストリームにおいて受信するための手段と、
複数のコード化単位（ＣＵ）への前記ビデオデータのピクチャのコード化ツリー単位（ＣＴＵ）の区分化を決定するための手段、前記複数のＣＵは、１つまたは複数の非正方形ＣＵを含む、と、
量子化パラメータを、前記現在の量子化グループに関する前記局所的な量子化情報に少なくとも部分的に基づいて導出するための手段、ここにおいて、前記現在の量子化グループは、前記現在の量子化グループの境界が必ず前記複数のＣＵ中の前記ＣＵの境界となり、かつ、前記現在の量子化グループのサイズが閾値以上となるような、コード化順序で連続したＣＵまたはコード化ブロックのグループとして定義され、前記複数のＣＵのうちの少なくとも１つのＣＵは、非正方形の量子化グループに含まれる、と、
現在のＣＵの少なくとも１つの変換係数を、前記量子化パラメータに基づいて逆量子化するための手段、前記現在のＣＵは、前記現在の量子化グループ中の前記ＣＵのうちの１つである、と、
前記現在のＣＵのコード化ブロックを、前記現在のＣＵの逆量子化された変換係数に基づいて再構築するための手段と
を備える、装置。
【請求項２０】
ビデオデータを符号化するための装置であって、
複数のコード化単位（ＣＵ）への前記ビデオデータのピクチャのコード化ツリー単位（ＣＴＵ）の区分化を決定するための手段、前記複数のＣＵは、１つまたは複数の非正方形ＣＵを含む、と、
現在のコード化単位（ＣＵ）の少なくとも１つの変換係数を、量子化パラメータに基づいて量子化するための手段、前記現在のＣＵは、現在の量子化グループ中にあるか、または前記現在の量子化グループ中のコード化ブロックに対応し、ここにおいて、前記現在の量子化グループは、前記現在の量子化グループの境界が必ず前記ＣＵの境界となり、かつ、前記現在の量子化グループのサイズが閾値以上となるような、前記複数のＣＵ中の、コード化順序で連続したＣＵのグループとして定義され、前記複数のＣＵのうちの少なくとも１つのＣＵは、非正方形の量子化グループに含まれる、と、
前記現在の量子化グループに関する局所的な量子化情報を、前記ビデオデータの符号化表現を備えるビットストリームにおいてシグナリングするための手段、ここにおいて、前記量子化パラメータは、前記現在の量子化グループに関する前記局所的な量子化情報に少なくとも部分的に基づいて導出可能である、と、
前記現在のＣＵの前記量子化された変換係数を表す１つまたは複数のシンタックス要素を、前記ビットストリーム中に含めるための手段と
を備える、装置。
【請求項２１】
命令を記憶したコンピュータ読取可能な記憶媒体であって、前記命令が実行されると、１つまたは複数のプロセッサに、請求項１乃至１８のいずれか１項に記載の前記方法を実行することを行わせる、コンピュータ読取可能な記憶媒体。
【手続補正２】
【補正対象書類名】明細書
【補正対象項目名】０１７９
【補正方法】変更
【補正の内容】
【０１７９】
[0199]様々な例が説明されている。これらの例および他の例は、以下の特許請求の範囲の範囲内である。
以下に、本願出願の当初の特許請求の範囲に記載された発明を付記する。
［Ｃ１］
ビデオデータを復号する方法であって、
ビデオデコーダが、現在の量子化グループに関する局所的な量子化情報を、前記ビデオデータの符号化表現を備えるビットストリームにおいて受信することと、
前記ビデオデコーダが、複数のコード化単位（ＣＵ）への前記ビデオデータのピクチャのコード化ツリー単位（ＣＴＵ）の区分化を決定すること、前記複数のＣＵは、１つまたは複数の非正方形ＣＵを含む、と、
前記ビデオデコーダが、量子化パラメータを、前記現在の量子化グループに関する前記局所的な量子化情報に少なくとも部分的に基づいて導出すること、ここにおいて、前記現在の量子化グループは、前記現在の量子化グループの境界が必ず前記ＣＵの境界となり、かつ、前記現在の量子化グループのサイズが閾値以上となるような、前記複数のＣＵ中の、コード化順序で連続したＣＵのグループとして定義され、前記複数のＣＵのうちの少なくとも１つのＣＵは、非正方形の量子化グループに含まれる、と、
前記ビデオデコーダが、現在のＣＵの少なくとも１つの変換係数を、前記量子化パラメータに基づいて逆量子化すること、前記現在のＣＵは、前記現在の量子化グループ中の前記ＣＵのうちの１つである、と、
前記ビデオデコーダが、前記現在のＣＵのコード化ブロックを、前記現在のＣＵの逆量子化された変換係数に基づいて再構築することと
を備える、方法。
［Ｃ２］
前記現在の量子化グループは、正方形ではない、
［Ｃ１］に記載の方法。
［Ｃ３］
前記ビデオデコーダが、前記閾値のインジケーションを、前記ビットストリームから取得することをさらに備える、
［Ｃ１］に記載の方法。
［Ｃ４］
前記ビデオデコーダが、次の量子化グループが前記ＣＴＵの次のＣＵから始まることを、前記現在の量子化グループ中のＣＵの累積サイズが前記閾値以上であることに基づいて決定することをさらに備える、
［Ｃ１］に記載の方法。
［Ｃ５］
前記閾値は、第１の閾値であり、前記方法は、前記現在の量子化グループの累積サイズが前記第１の閾値より大きくないときでさえ、前記ビデオデコーダが、第２の閾値以上のサイズを有する前記ＣＴＵのＣＵごとに新たな量子化グループを開始することをさらに備える、
［Ｃ１］に記載の方法。
［Ｃ６］
前記現在の量子化グループを含む複数の量子化グループのそれぞれの量子化グループごとに、前記それぞれの量子化グループが非ゼロ量子化係数を含むとき、多くても１つのセットの局所的な量子化情報が、前記それぞれの量子化グループのために前記ビットストリームにおいてシグナリングされることが許可される、
［Ｃ１］に記載の方法。
［Ｃ７］
前記閾値は、第１の閾値であり、前記現在の量子化グループに関する前記セットの局所的な量子化情報は、前記現在の量子化グループに関する第１のセットの局所的な量子化情報であり、前記量子化パラメータは、第１の量子化パラメータであり、前記現在のＣＵは、第１のＣＵであり、前記方法は、
前記現在の量子化グループが第２の閾値より大きいサイズを有するＣＵを含むことに基づいて、前記ビデオデコーダが、前記現在の量子化グループに関する第２のセットの局所的な量子化情報を、前記ビットストリームから取得することと、
前記ビデオデコーダが、第２の量子化パラメータを、前記現在の量子化グループに関する前記第２のセットの局所的な量子化情報に少なくとも部分的に基づいて導出することと、
前記ビデオデコーダが、前記第２のＣＵの少なくとも１つの変換係数を、前記第２の量子化パラメータに基づいて逆量子化することと
をさらに備える、［Ｃ１］に記載の方法。
［Ｃ８］
前記複数のＣＵは、第１の複数のＣＵであり、前記第１の複数のＣＵの各それぞれのＣＵは、それぞれのルーマコード化ブロックに対応し、クロマコード化ブロックに対応せず、前記現在の量子化グループは、第１の量子化グループであり、前記量子化パラメータは、ルーマ量子化パラメータであり、前記閾値は、第１の閾値であり、前記現在のＣＵは、第１のＣＵであり、前記方法は、
前記ビデオデコーダが、第２の量子化グループに関する局所的な量子化情報を、前記ビットストリームにおいて受信することと、
前記ビデオデコーダが、第２の複数のＣＵへの前記ＣＴＵの第２の区分化を決定すること、前記第２の複数のＣＵの各それぞれのＣＵは、それぞれのクロマコード化ブロックに対応し、ルーマコード化ブロックに対応せず、ここにおいて、前記ＣＴＵの前記第２の区分化は、前記ＣＴＵの前記第１の区分化とは異なる方法で前記ＣＴＵを区分化する、と、
前記ビデオデコーダが、クロマ量子化パラメータを、前記第２の量子化グループに関する前記局所的な量子化情報に少なくとも部分的に基づいて導出すること、ここにおいて、前記第２の量子化グループは、前記第２の量子化グループの境界が必ず前記第２の複数のＣＵの前記ＣＵの境界となり、かつ、前記第２の量子化グループのサイズが第２の閾値以上となるような、前記第２の複数のＣＵ中の、コード化順序で連続したＣＵのグループとして定義される、と、
前記ビデオデコーダが、第２のＣＵの少なくとも１つの変換係数を、前記クロマ量子化パラメータに基づいて逆量子化すること、前記第２のＣＵは、前記第２の量子化グループ中の前記ＣＵのうちの１つである、と、
前記ビデオデコーダが、前記第２のＣＵのクロマコード化ブロックを、前記第２のＣＵの逆量子化された変換係数に基づいて再構築することと
をさらに備える、［Ｃ１］に記載の方法。
［Ｃ９］
前記複数のＣＵは、第１の複数のＣＵであり、前記第１の複数のＣＵの各それぞれのＣＵは、それぞれのルーマコード化ブロックに対応し、クロマコード化ブロックに対応せず、前記量子化パラメータは、ルーマ量子化パラメータであり、前記現在の量子化グループは、第１の量子化グループであり、前記現在のＣＵは、第１のＣＵであり、
前記量子化パラメータを導出することは、
前記ビデオデコーダが、ルーマデルタ量子化パラメータを、前記第１の量子化グループに関する前記局所的な量子化情報に基づいて導出することと、
前記ビデオデコーダが、前記ルーマ量子化パラメータが前記ルーマデルタ量子化パラメータに予測ルーマ量子化パラメータを足したものに基づくように、前記ルーマ量子化パラメータを決定することと
を備え、
前記方法は、
前記ビデオデコーダが、第２の複数のＣＵへの前記ＣＴＵの第２の区分化を決定すること、前記第２の複数のＣＵの各それぞれのＣＵは、それぞれのクロマコード化ブロックに対応し、ルーマコード化ブロックに対応せず、ここにおいて、前記ＣＴＵの前記第２の区分化は、前記ＣＴＵの前記第１の区分化とは異なる方法で前記ＣＴＵを区分化する、と、
前記ビデオデコーダが、前記ルーマデルタ量子化パラメータからクロマデルタ量子化パラメータを導出することと、
前記ビデオデコーダが、クロマ量子化パラメータを導出するために、前記クロマデルタ量子化パラメータを予測クロマ量子化パラメータに加算することと、
前記ビデオデコーダが、第２のＣＵの少なくとも１つの変換係数を、前記クロマ量子化パラメータに基づいて逆量子化すること、前記第２のＣＵは、前記第２の複数のＣＵの中にある、と、
前記ビデオデコーダが、前記第２のＣＵのクロマコード化ブロックを、前記第２のＣＵの逆量子化された変換係数に基づいて再構築することと
をさらに備える、［Ｃ１］に記載の方法。
［Ｃ１０］
前記クロマデルタ量子化パラメータを導出することは、
前記ビデオデコーダが、前記第２のＣＵのクロマコード化ブロックの左上クロマサンプルに対応するルーマサンプルを決定することと、
前記ビデオデコーダが、前記クロマデルタ量子化パラメータが前記ルーマデルタ量子化パラメータに等しくなるように前記クロマデルタ量子化パラメータを導出すること、ここにおいて、前記ルーマデルタ量子化パラメータは、前記決定されたルーマサンプルに関連付けられる、と
を備える、［Ｃ９］に記載の方法。
［Ｃ１１］
前記ルーマデルタ量子化パラメータは、第１のルーマデルタ量子化パラメータであり、前記クロマデルタ量子化パラメータを導出することは、
前記ビデオデコーダが、前記第２のＣＵの前記クロマブロックのサンプルに対応するルーマサンプルについてのすべての異なるルーマデルタ量子化パラメータを識別すること、前記識別されたルーマデルタ量子化パラメータは、前記第１のルーマデルタ量子化パラメータを含む、と、
前記ビデオデコーダが、前記クロマデルタ量子化パラメータを導出するために、前記識別された異なるルーマデルタ量子化パラメータを平均化することと
を備える、［Ｃ９］に記載の方法。
［Ｃ１２］
前記ルーマデルタ量子化パラメータは、第１のルーマデルタ量子化パラメータであり、前記クロマデルタ量子化パラメータを導出することは、
前記ビデオデコーダが、複数の異なるルーマデルタ量子化パラメータを識別すること、前記複数の異なるルーマデルタ量子化パラメータは、前記第２のＣＵの前記クロマブロックのサンプルに対応するルーマサンプルについての各異なるルーマデルタ量子化パラメータを含み、前記複数の異なるルーマデルタ量子化パラメータは、前記第１のルーマデルタ量子化パラメータを含む、と、
前記ビデオデコーダが、前記クロマデルタ量子化パラメータを導出するために、前記複数の異なるルーマデルタ量子化パラメータを加重平均化することと
を備える、［Ｃ９］に記載の方法。
［Ｃ１３］
前記ビデオデコーダが、複数の重みを決定することをさらに備え、ここにおいて、前記複数の重みのそれぞれの重みごとに、前記それぞれの重みは、前記複数の異なるルーマデルタ量子化パラメータ中のそれぞれのルーマデルタ量子化パラメータに対応する前記第２のＣＵの前記クロマブロックのサンプルのフラクションに対応し、
ここにおいて、前記複数の異なるルーマデルタ量子化パラメータを前記加重平均化することは、前記ビデオデコーダが、複数の値を平均化することを備え、前記複数の値中の各それぞれの値は、前記複数のルーマデルタ量子化パラメータ中のそれぞれのルーマデルタ量子化パラメータに、前記それぞれのルーマデルタ量子化パラメータに対応する前記複数の重み中のそれぞれの重みを乗じたものに等しい、
［Ｃ１２］に記載の方法。
［Ｃ１４］
前記複数のＣＵは、第１の複数のＣＵであり、前記第１の複数のＣＵの各それぞれのＣＵは、それぞれのルーマコード化ブロックに対応し、クロマコード化ブロックに対応せず、前記現在の量子化グループは、第１の量子化グループであり、前記量子化パラメータは、ルーマ量子化パラメータであり、前記閾値は、第１の閾値であり、前記現在のＣＵは、第１のＣＵであり、前記方法は、
前記ビデオデコーダが、第２の複数のＣＵへの前記ＣＴＵの第２の区分化を決定すること、前記第２の複数のＣＵの各それぞれのＣＵは、それぞれのクロマコード化ブロックに対応し、ルーマコード化ブロックに対応せず、ここにおいて、前記ＣＴＵの前記第２の区分化は、前記ＣＴＵの前記第１の区分化とは異なる方法で前記ＣＴＵを区分化する、と、
前記ビデオデコーダが、クロマ量子化パラメータを、前記ルーマ量子化パラメータに基づいて導出することと、
前記ビデオデコーダが、第２のＣＵの変換係数を、前記クロマ量子化パラメータに基づいて逆量子化すること、前記第２のＣＵは、前記第２の複数のＣＵの中にある、と、
前記ビデオデコーダが、前記第２のＣＵのクロマコード化ブロックを、前記第２のＣＵの逆量子化された変換係数に基づいて再構築することと
をさらに備える、［Ｃ１］に記載の方法。
［Ｃ１５］
ビデオデータを符号化する方法であって、
ビデオエンコーダが、複数のコード化単位（ＣＵ）への前記ビデオデータのピクチャのコード化ツリー単位（ＣＴＵ）の区分化を決定すること、前記複数のＣＵは、１つまたは複数の非正方形ＣＵを含む、と、
前記ビデオエンコーダが、現在のコード化単位（ＣＵ）の少なくとも１つの変換係数を、量子化パラメータに基づいて量子化すること、前記現在のＣＵは、現在の量子化グループ中にあるか、または前記現在の量子化グループ中のコード化ブロックに対応し、ここにおいて、前記現在の量子化グループは、前記現在の量子化グループの境界が必ず前記ＣＵの境界となり、かつ、前記現在の量子化グループのサイズが閾値以上となるような、前記複数のＣＵ中の、コード化順序で連続したＣＵのグループとして定義され、前記複数のＣＵのうちの少なくとも１つのＣＵは、非正方形の量子化グループに含まれる、と、
前記ビデオエンコーダが、前記現在の量子化グループに関する局所的な量子化情報を、前記ビデオデータの符号化表現を備えるビットストリームにおいてシグナリングすること、ここにおいて、前記量子化パラメータは、前記現在の量子化グループに関する前記局所的な量子化情報に少なくとも部分的に基づいて導出可能である、と、
前記ビデオエンコーダが、前記現在のＣＵの前記量子化された変換係数を表す１つまたは複数のシンタックス要素を、前記ビットストリーム中に含めることと
を備える方法。
［Ｃ１６］
前記現在の量子化グループは、正方形ではない、
［Ｃ１５］に記載の方法。
［Ｃ１７］
前記ビデオエンコーダが、前記閾値のインジケーションを前記ビットストリームにおいてシグナリングすることをさらに備える、
［Ｃ１５］に記載の方法。
［Ｃ１８］
前記ビデオエンコーダが、前記複数の量子化グループのうちの次の量子化グループが前記ＣＴＵの次のＣＵから始まることを、前記現在の量子化グループ中のＣＵの累積サイズが前記閾値以上であることに基づいて決定することをさらに備える、
［Ｃ１５］に記載の方法。
［Ｃ１９］
前記閾値は、第１の閾値であり、前記方法は、前記現在の量子化グループの累積サイズが前記第１の閾値より大きくないときでさえ、前記ビデオエンコーダが、第２の閾値以上のサイズを有する前記ＣＴＵのＣＵごとに新たな量子化グループを開始することをさらに備える、
［Ｃ１５］に記載の方法。
［Ｃ２０］
前記現在の量子化グループを含む複数の量子化グループのそれぞれの量子化グループごとに、前記それぞれの量子化グループが非ゼロ量子化係数を含むとき、多くても１つのセットの局所的な量子化情報が、前記それぞれの量子化グループのために前記ビットストリームにおいてシグナリングされることが許可される、
［Ｃ１５］に記載の方法。
［Ｃ２１］
前記閾値は、第１の閾値であり、前記現在の量子化グループに関する前記セットの局所的な量子化情報は、前記現在の量子化グループに関する第１のセットの局所的な量子化情報であり、前記量子化パラメータは、第１の量子化パラメータであり、前記現在のＣＵは、第１のＣＵであり、前記方法は、
前記現在の量子化グループが第２の閾値より大きいサイズを有する第２のＣＵを含むことに基づいて、前記ビデオエンコーダが、前記現在の量子化グループに関する第２のセットの局所的な量子化情報を、前記ビットストリームにおいてシグナリングすることと、
前記ビデオエンコーダが、第２の量子化パラメータを、前記現在の量子化グループに関する前記第２のセットの局所的な量子化情報に少なくとも部分的に基づいて導出することと、
前記ビデオエンコーダが、前記第２のＣＵの少なくとも１つの変換係数を、前記第２の量子化パラメータに基づいて量子化することと
をさらに備える、［Ｃ１５］に記載の方法。
［Ｃ２２］
前記複数のＣＵは、第１の複数のＣＵであり、前記第１の複数のＣＵの各それぞれのＣＵは、それぞれのルーマコード化ブロックに対応し、クロマコード化ブロックに対応せず、前記現在の量子化グループは、第１の量子化グループであり、前記量子化パラメータは、ルーマ量子化パラメータであり、前記閾値は、第１の閾値であり、前記現在のＣＵは、第１のＣＵであり、前記方法は、
前記ビデオエンコーダが、第２の複数のＣＵへの前記ＣＴＵの第２の区分化を決定すること、前記第２の複数のＣＵの各それぞれのＣＵは、それぞれのクロマコード化ブロックに対応し、ルーマコード化ブロックに対応せず、ここにおいて、前記ＣＴＵの前記第２の区分化は、前記ＣＴＵの前記第１の区分化とは異なる方法で前記ＣＴＵを区分化する、と、
前記ビデオエンコーダが、第２のＣＵの少なくとも１つの変換係数を、クロマ量子化パラメータに基づいて量子化すること、前記第２のＣＵは、前記第２の量子化グループ中の前記ＣＵのうちの１つである、と、
前記ビデオエンコーダが、前記第２の量子化グループに関する局所的な量子化情報を、前記ビットストリームにおいてシグナリングすること、ここにおいて、前記クロマ量子化パラメータは、前記第２の量子化グループに関する前記局所的な量子化情報に少なくとも部分的に基づいて導出可能である、と、
前記ビデオエンコーダが、前記第２のＣＵの前記量子化された変換係数を表す１つまたは複数のシンタックス要素を、前記ビットストリーム中に含めることと
をさらに備える、［Ｃ１５］に記載の方法。
［Ｃ２３］
前記複数のＣＵは、第１の複数のＣＵであり、前記第１の複数のＣＵの各それぞれのＣＵは、それぞれのルーマコード化ブロックに対応し、クロマコード化ブロックに対応せず、前記量子化パラメータは、ルーマ量子化パラメータであり、前記現在の量子化グループは、第１の量子化グループであり、前記現在のＣＵは、第１のＣＵであり、
ルーマデルタ量子化パラメータは、前記第１の量子化グループに関する前記局所的な量子化情報から導出可能であり、
前記ルーマ量子化パラメータは、前記ルーマデルタ量子化パラメータに予測ルーマ量子化パラメータを足したもに基づき、
前記方法は、
前記ビデオエンコーダが、第２の複数のＣＵへの前記ＣＴＵの第２の区分化を決定すること、前記第２の複数のＣＵの各それぞれのＣＵは、それぞれのクロマコード化ブロックに対応し、ルーマコード化ブロックに対応せず、ここにおいて、前記ＣＴＵの前記第２の区分化は、前記ＣＴＵの前記第１の区分化とは異なる方法で前記ＣＴＵを区分化する、と、
前記ビデオエンコーダが、前記ルーマデルタ量子化パラメータからクロマデルタ量子化パラメータを導出することと、
前記ビデオエンコーダが、クロマ量子化パラメータを導出するために、前記クロマデルタ量子化パラメータを予測クロマ量子化パラメータに加算することと、
前記ビデオエンコーダが、第２のＣＵの変換係数を、前記クロマ量子化パラメータに基づいて量子化すること、前記第２のＣＵは、前記第２の複数のＣＵの中にある、と、
前記ビデオエンコーダが、前記第２のＣＵの前記量子化された変換係数を表す１つまたは複数のシンタックス要素を、前記ビットストリーム中に含めることと
をさらに備える、［Ｃ１５］に記載の方法。
［Ｃ２４］
前記クロマデルタ量子化パラメータを導出することは、
前記ビデオエンコーダが、前記第２のＣＵのクロマコード化ブロックの左上クロマサンプルのような予め定義されているかまたはシグナリングされた位置に対応するルーマサンプルを決定することと、
前記ビデオエンコーダが、前記クロマデルタ量子化パラメータが前記ルーマデルタ量子化パラメータに等しくなるように前記クロマデルタ量子化パラメータを導出すること、ここにおいて、前記ルーマデルタ量子化パラメータは、前記決定されたルーマサンプルに関連付けられる、と
を備える、［Ｃ２３］に記載の方法。
［Ｃ２５］
前記ルーマデルタ量子化パラメータは、第１のルーマデルタ量子化パラメータであり、前記クロマデルタ量子化パラメータを導出することは、
前記ビデオエンコーダが、前記第２のＣＵのクロマブロックのサンプルに対応するルーマサンプルについてのすべての異なるルーマデルタ量子化パラメータを識別すること、前記識別されたルーマデルタ量子化パラメータは、前記第１のルーマデルタ量子化パラメータを含む、と、
前記ビデオデコーダが、前記クロマデルタ量子化パラメータを導出するために、前記識別された異なるルーマデルタ量子化パラメータを平均化することと
を備える、［Ｃ２３］に記載の方法。
［Ｃ２６］
前記ルーマデルタ量子化パラメータは、第１のルーマデルタ量子化パラメータであり、前記クロマデルタ量子化パラメータを導出することは、
前記ビデオエンコーダが、複数の異なるルーマデルタ量子化パラメータを識別すること、前記複数の異なるルーマデルタ量子化パラメータは、前記第２のＣＵのクロマブロックのサンプルに対応するルーマサンプルについての各異なるルーマデルタ量子化パラメータを含み、前記複数の異なるルーマデルタ量子化パラメータは、前記第１のルーマデルタ量子化パラメータを含む、と、
前記ビデオエンコーダが、前記クロマデルタ量子化パラメータを導出するために、前記複数の異なるルーマデルタ量子化パラメータを加重平均化することと
を備える、［Ｃ２３］に記載の方法。
［Ｃ２７］
前記ビデオエンコーダが、複数の重みを決定することをさらに備え、ここにおいて、前記複数の重みのそれぞれの重みごとに、前記それぞれの重みは、前記複数の異なるルーマデルタ量子化パラメータ中のそれぞれのルーマデルタ量子化パラメータに対応する前記第２のＣＵの前記クロマブロックのサンプルのフラクションに対応し、
前記複数の異なるルーマデルタ量子化パラメータを前記加重平均化することは、前記ビデオエンコーダが、複数の値を平均化することを備え、前記複数の値中の各それぞれの値は、前記複数のルーマデルタ量子化パラメータ中のそれぞれのルーマデルタ量子化パラメータに、前記それぞれのルーマデルタ量子化パラメータに対応する前記複数の重み中のそれぞれの重みを乗じたものに等しい、
［Ｃ２６］に記載の方法。
［Ｃ２８］
前記複数のＣＵは、第１の複数のＣＵであり、前記第１の複数のＣＵの各それぞれのＣＵは、それぞれのルーマコード化ブロックに対応し、クロマコード化ブロックに対応せず、前記現在の量子化グループは、第１の量子化グループであり、前記量子化パラメータは、ルーマ量子化パラメータであり、前記閾値は、第１の閾値であり、前記現在のＣＵは、第１のＣＵであり、前記方法は、
前記ビデオエンコーダが、第２の複数のＣＵへの前記ＣＴＵの第２の区分化を決定すること、前記第２の複数のＣＵの各それぞれのＣＵは、それぞれのクロマコード化ブロックに対応し、ルーマコード化ブロックに対応せず、ここにおいて、前記ＣＴＵの前記第２の区分化は、前記ＣＴＵの前記第１の区分化とは異なる方法で前記ＣＴＵを区分化する、と、
前記ビデオエンコーダが、クロマ量子化パラメータを、前記ルーマ量子化パラメータに基づいて導出することと、
前記ビデオエンコーダが、第２のＣＵの変換係数を、前記クロマ量子化パラメータに基づいて量子化すること、前記第２のＣＵは、前記第２の複数のＣＵの中にある、と、
前記ビデオエンコーダが、前記第２のＣＵの前記量子化された変換係数を表す１つまたは複数のシンタックス要素を、前記ビットストリーム中に含めることと
をさらに備える、［Ｃ１５］に記載の方法。
［Ｃ２９］
ビデオデータを復号するための装置であって、
前記ビデオデータを記憶するように構成された１つまたは複数の記憶媒体と、
１つまたは複数のプロセッサと
を備え、前記１つまたは複数のプロセッサは、
現在の量子化グループに関する局所的な量子化情報を、前記ビデオデータの符号化表現を備えるビットストリームにおいて受信することと、
複数のコード化単位（ＣＵ）への前記ビデオデータのピクチャのコード化ツリー単位（ＣＴＵ）の区分化を決定すること、前記複数のＣＵは、１つまたは複数の非正方形ＣＵを含む、と、
量子化パラメータを、前記現在の量子化グループに関する前記局所的な量子化情報に少なくとも部分的に基づいて導出すること、ここにおいて、前記現在の量子化グループは、前記現在の量子化グループの境界が必ず前記ＣＵの境界となり、かつ、前記現在の量子化グループのサイズが閾値以上となるような、コード化順序で連続したＣＵのグループとして定義され、前記複数のＣＵのうちの少なくとも１つのＣＵは、非正方形の量子化グループに含まれる、と、
現在のＣＵの少なくとも１つの変換係数を、前記量子化パラメータに基づいて逆量子化すること、前記現在のＣＵは、前記現在の量子化グループ中の前記ＣＵのうちの１つである、と、
前記現在のＣＵのコード化ブロックを、前記現在のＣＵの逆量子化された変換係数に基づいて再構築することと
を行うように構成される、装置。
［Ｃ３０］
前記現在の量子化グループは、正方形ではない、
［Ｃ２９］に記載の装置。
［Ｃ３１］
前記１つまたは複数のプロセッサは、前記閾値のインジケーションを、前記ビットストリームから取得するようにさらに構成される、
［Ｃ２９］に記載の装置。
［Ｃ３２］
前記１つまたは複数のプロセッサが、次の量子化グループが前記ＣＴＵの次のＣＵから始まることを、前記現在の量子化グループ中のＣＵの累積サイズが前記閾値以上であることに基づいて決定するようにさらに構成される、
［Ｃ２９］に記載の装置。
［Ｃ３３］
前記閾値は、第１の閾値であり、前記１つまたは複数のプロセッサは、前記現在の量子化グループの累積サイズが前記第１の閾値より大きくないときでさえ、第２の閾値以上のサイズを有する前記ＣＴＵのＣＵごとに新たな量子化グループを開始するようにさらに構成される、
［Ｃ２９］に記載の装置。
［Ｃ３４］
前記現在の量子化グループを含む複数の量子化グループのそれぞれの量子化グループごとに、前記それぞれの量子化グループが非ゼロ量子化係数を含むとき、多くても１つのセットの局所的な量子化情報が、前記それぞれの量子化グループのために前記ビットストリームにおいてシグナリングされることが許可される、
［Ｃ２９］に記載の装置。
［Ｃ３５］
前記閾値は、第１の閾値であり、前記現在の量子化グループに関する前記セットの局所的な量子化情報は、前記現在の量子化グループに関する第１のセットの局所的な量子化情報であり、前記量子化パラメータは、第１の量子化パラメータであり、前記現在のＣＵは、第１のＣＵであり、前記１つまたは複数のプロセッサは、
前記現在の量子化グループが第２の閾値より大きいサイズを有するＣＵを含むことに基づいて、前記現在の量子化グループに関する第２のセットの局所的な量子化情報を、前記ビットストリームから取得することと、
第２の量子化パラメータを、前記現在の量子化グループに関する前記第２のセットの局所的な量子化情報に少なくとも部分的に基づいて導出することと、
前記第２のＣＵの少なくとも１つの変換係数を、前記第２の量子化パラメータに基づいて逆量子化することと
を行うようにさらに構成される、［Ｃ２９］に記載の装置。
［Ｃ３６］
前記複数のＣＵは、第１の複数のＣＵであり、前記第１の複数のＣＵの各それぞれのＣＵは、それぞれのルーマコード化ブロックに対応し、クロマコード化ブロックに対応せず、前記現在の量子化グループは、第１の量子化グループであり、前記量子化パラメータは、ルーマ量子化パラメータであり、前記閾値は、第１の閾値であり、前記現在のＣＵは、第１のＣＵであり、前記１つまたは複数のプロセッサは、
第２の量子化グループに関する局所的な量子化情報を、前記ビットストリームにおいて受信することと、
第２の複数のＣＵへの前記ＣＴＵの第２の区分化を決定すること、前記第２の複数のＣＵの各それぞれのＣＵは、それぞれのクロマコード化ブロックに対応し、ルーマコード化ブロックに対応せず、ここにおいて、前記ＣＴＵの前記第２の区分化は、前記ＣＴＵの前記第１の区分化とは異なる方法で前記ＣＴＵを区分化する、と、
クロマ量子化パラメータを、前記第２の量子化グループに関する前記局所的な量子化情報に少なくとも部分的に基づいて導出すること、ここにおいて、前記第２の量子化グループは、前記第２の量子化グループの境界が必ず前記第２の複数のＣＵの前記ＣＵの境界となり、かつ、前記第２の量子化グループのサイズが第２の閾値以上となるような、前記第２の複数のＣＵ中の、コード化順序で連続したＣＵのグループとして定義される、と、
第２のＣＵの少なくとも１つの変換係数を、前記クロマ量子化パラメータに基づいて逆量子化すること、前記第２のＣＵは、前記第２の量子化グループ中の前記ＣＵのうちの１つである、と、
前記第２のＣＵのクロマコード化ブロックを、前記第２のＣＵの逆量子化された変換係数に基づいて再構築することと
を行うようにさらに構成される、［Ｃ２９］に記載の装置。
［Ｃ３７］
前記複数のＣＵは、第１の複数のＣＵであり、前記第１の複数のＣＵの各それぞれのＣＵは、それぞれのルーマコード化ブロックに対応し、クロマコード化ブロックに対応せず、前記量子化パラメータは、ルーマ量子化パラメータであり、前記現在の量子化グループは、第１の量子化グループであり、前記現在のＣＵは、第１のＣＵであり、
前記１つまたは複数のプロセッサは、前記量子化パラメータを導出することの一環として、前記１つまたは複数のプロセッサが、
ルーマデルタ量子化パラメータを、前記第１の量子化グループに関する前記局所的な量子化情報に基づいて導出することと、
前記ルーマ量子化パラメータが前記ルーマデルタ量子化パラメータに予測ルーマ量子化パラメータを足したものに基づくように、前記ルーマ量子化パラメータを決定することと
を行うように構成されるように構成され、
前記１つまたは複数のプロセッサは、
第２の複数のＣＵへの前記ＣＴＵの第２の区分化を決定すること、前記第２の複数のＣＵの各それぞれのＣＵは、それぞれのクロマコード化ブロックに対応し、ルーマコード化ブロックに対応せず、ここにおいて、前記ＣＴＵの前記第２の区分化は、前記ＣＴＵの前記第１の区分化とは異なる方法で前記ＣＴＵを区分化する、と、
前記ルーマデルタ量子化パラメータからクロマデルタ量子化パラメータを導出することと、
クロマ量子化パラメータを導出するために、前記クロマデルタ量子化パラメータを予測クロマ量子化パラメータに加算することと、
第２のＣＵの少なくとも１つの変換係数を、前記クロマ量子化パラメータに基づいて逆量子化すること、前記第２のＣＵは、前記第２の複数のＣＵの中にある、と、
前記第２のＣＵのクロマコード化ブロックを、前記第２のＣＵの逆量子化された変換係数に基づいて再構築することと
を行うようにさらに構成される、［Ｃ２９］に記載の装置。
［Ｃ３８］
前記１つまたは複数のプロセッサは、前記クロマデルタ量子化パラメータを導出することの一環として、前記１つまたは複数のプロセッサが、
前記第２のＣＵのクロマコード化ブロックの左上クロマサンプルのような予め定義されているかまたはシグナリングされたクロマ位置に対応するルーマサンプルを決定することと、
前記クロマデルタ量子化パラメータが前記ルーマデルタ量子化パラメータに等しくなるように前記クロマデルタ量子化パラメータを導出すること、ここにおいて、前記ルーマデルタ量子化パラメータは、前記決定されたルーマサンプルに関連付けられる、と
を行うように構成される、［Ｃ３７］に記載の装置。
［Ｃ３９］
前記ルーマデルタ量子化パラメータは、第１のルーマデルタ量子化パラメータであり、前記１つまたは複数のプロセッサは、前記クロマデルタ量子化パラメータを導出することの一環として、前記１つまたは複数のプロセッサが、
前記第２のＣＵの前記クロマブロックのサンプルに対応するルーマサンプルについてのすべての異なるルーマデルタ量子化パラメータを識別すること、前記識別されたルーマデルタ量子化パラメータは、前記第１のルーマデルタ量子化パラメータを含む、と、
前記クロマデルタ量子化パラメータを導出するために、前記識別された異なるルーマデルタ量子化パラメータを平均化することと
を行うように構成される、［Ｃ３７］に記載の装置。
［Ｃ４０］
前記ルーマデルタ量子化パラメータは、第１のルーマデルタ量子化パラメータであり、前記１つまたは複数のプロセッサは、前記クロマデルタ量子化パラメータを導出することの一環として、前記１つまたは複数のプロセッサが、
複数の異なるルーマデルタ量子化パラメータを識別すること、前記複数の異なるルーマデルタ量子化パラメータは、前記第２のＣＵの前記クロマブロックのサンプルに対応するルーマサンプルについての各異なるルーマデルタ量子化パラメータを含み、前記複数の異なるルーマデルタ量子化パラメータは、前記第１のルーマデルタ量子化パラメータを含む、と、
前記クロマデルタ量子化パラメータを導出するために、前記複数の異なるルーマデルタ量子化パラメータを加重平均化することと
を行うように構成される、［Ｃ３７］に記載の装置。
［Ｃ４１］
前記１つまたは複数のプロセッサは、
複数の重みを決定するようにさらに構成され、ここにおいて、前記複数の重みのそれぞれの重みごとに、前記それぞれの重みは、前記複数の異なるルーマデルタ量子化パラメータ中のそれぞれのルーマデルタ量子化パラメータに対応する前記第２のＣＵの前記クロマブロックのサンプルのフラクションに対応し、
前記１つまたは複数のプロセッサは、前記複数の異なるルーマデルタ量子化パラメータを前記加重平均化することの一環として、前記１つまたは複数ののプロセッサが、複数の値を平均化するように構成され、前記複数の値中の各それぞれの値は、前記複数のルーマデルタ量子化パラメータ中のそれぞれのルーマデルタ量子化パラメータに、前記それぞれのルーマデルタ量子化パラメータに対応する前記複数の重み中のそれぞれの重みを乗じたものに等しい、
［Ｃ４０］に記載の装置。
［Ｃ４２］
前記複数のＣＵは、第１の複数のＣＵであり、前記第１の複数のＣＵの各それぞれのＣＵは、それぞれのルーマコード化ブロックに対応し、クロマコード化ブロックに対応せず、前記現在の量子化グループは、第１の量子化グループであり、前記量子化パラメータは、ルーマ量子化パラメータであり、前記閾値は、第１の閾値であり、前記現在のＣＵは、第１のＣＵであり、前記１つまたは複数のプロセッサは、
第２の複数のＣＵへの前記ＣＴＵの第２の区分化を決定すること、前記第２の複数のＣＵの各それぞれのＣＵは、それぞれのクロマコード化ブロックに対応し、ルーマコード化ブロックに対応せず、ここにおいて、前記ＣＴＵの前記第２の区分化は、前記ＣＴＵの前記第１の区分化とは異なる方法で前記ＣＴＵを区分化する、と、
クロマ量子化パラメータを、前記ルーマ量子化パラメータに基づいて導出することと
第２のＣＵの変換係数を、クロマ量子化パラメータに基づいて逆量子化すること、前記第２のＣＵは、前記第２の複数のＣＵの中にある、と、
前記第２のＣＵのクロマコード化ブロックを、前記第２のＣＵの逆量子化された変換係数に基づいて再構築することと
を行うようにさらに構成される、［Ｃ２９］に記載の装置。
［Ｃ４３］
ビデオデータを符号化するための装置であって、
前記ビデオデータを記憶するように構成された１つまたは複数の記憶媒体と、
１つまたは複数のプロセッサと
を備え、前記１つまたは複数のプロセッサは、
複数のコード化単位（ＣＵ）への前記ビデオデータのピクチャのコード化ツリー単位（ＣＴＵ）の区分化を決定すること、前記複数のＣＵが１つまたは複数の非正方形ＣＵを含む、と、
現在のコード化単位（ＣＵ）の少なくとも１つの変換係数を、量子化パラメータに基づいて量子化すること、前記現在のＣＵは、現在の量子化グループ中にあるか、または前記現在の量子化グループ中のコード化ブロックに対応し、ここにおいて、前記現在の量子化グループは、前記現在の量子化グループの境界が必ず前記ＣＵの境界となり、かつ、前記現在の量子化グループのサイズが閾値以上となるような、前記複数のＣＵ中の、コード化順序で連続したＣＵのグループとして定義され、前記複数のＣＵのうちの少なくとも１つのＣＵは、非正方形の量子化グループに含まれる、と、
前記現在の量子化グループに関する局所的な量子化情報を、前記ビデオデータの符号化表現を備えるビットストリームにおいてシグナリングすること、ここにおいて、前記量子化パラメータは、前記現在の量子化グループに関する前記局所的な量子化情報に少なくとも部分的に基づいて導出可能である、と、
前記現在のＣＵの前記量子化された変換係数を表す１つまたは複数のシンタックス要素を、前記ビットストリーム中に含めることと
を行うように構成される、装置。
［Ｃ４４］
前記現在の量子化グループは、正方形ではない、
［Ｃ４３］に記載の装置。
［Ｃ４５］
前記１つまたは複数のプロセッサは、前記閾値のインジケーションを前記ビットストリームにおいてシグナリングするように構成される、
［Ｃ４３］に記載の装置。
［Ｃ４６］
前記１つまたは複数のプロセッサは、前記複数の量子化グループのうちの次の量子化グループが前記ＣＴＵの次のＣＵから始まることを、前記現在の量子化グループ中のＣＵの累積サイズが前記閾値以上であることに基づいて決定するようにさらに構成される、
［Ｃ４３］に記載の装置。
［Ｃ４７］
前記閾値は、第１の閾値であり、前記１つまたは複数のプロセッサは、前記現在の量子化グループの累積サイズが前記第１の閾値より大きくないときでさえ、第２の閾値以上のサイズを有する前記ＣＴＵのＣＵごとに新たな量子化グループを開始するようにさらに構成される、
［Ｃ４３］に記載の装置。
［Ｃ４８］
前記現在の量子化グループを含む複数の量子化グループのそれぞれの量子化グループごとに、前記それぞれの量子化グループが非ゼロ量子化係数を含むとき、多くても１つのセットの局所的な量子化情報が、前記それぞれの量子化グループのために前記ビットストリームにおいてシグナリングされることが許可される、
［Ｃ４３］に記載の装置。
［Ｃ４９］
前記閾値は、第１の閾値であり、前記現在の量子化グループに関する前記セットの局所的な量子化情報は、前記現在の量子化グループに関する第１のセットの局所的な量子化情報であり、前記量子化パラメータは、第１の量子化パラメータであり、前記現在のＣＵは、第１のＣＵであり、前記１つまたは複数のプロセッサは、
前記現在の量子化グループが第２の閾値より大きいサイズを有する第２のＣＵを含むことに基づいて、前記現在の量子化グループに関する第２のセットの局所的な量子化情報を、前記ビットストリームにおいてシグナリングすることと、
第２の量子化パラメータを、前記現在の量子化グループに関する前記第２のセットの局所的な量子化情報に少なくとも部分的に基づいて導出することと、
前記第２のＣＵの少なくとも１つの変換係数を、前記第２の量子化パラメータに基づいて量子化することと
を行うようにさらに構成される、［Ｃ４３］に記載の装置。
［Ｃ５０］
前記複数のＣＵは、第１の複数のＣＵであり、前記第１の複数のＣＵの各それぞれのＣＵは、それぞれのルーマコード化ブロックに対応し、クロマコード化ブロックに対応せず、前記現在の量子化グループは、第１の量子化グループであり、前記量子化パラメータは、ルーマ量子化パラメータであり、前記閾値は、第１の閾値であり、前記現在のＣＵは、第１のＣＵであり、前記１つまたは複数のプロセッサは、
第２の複数のＣＵへの前記ＣＴＵの第２の区分化を決定すること、前記第２の複数のＣＵの各それぞれのＣＵは、それぞれのクロマコード化ブロックに対応し、ルーマコード化ブロックに対応せず、ここにおいて、前記ＣＴＵの前記第２の区分化は、前記ＣＴＵの前記第１の区分化とは異なる方法で前記ＣＴＵを区分化する、と、
第２のＣＵの少なくとも１つの変換係数を、クロマ量子化パラメータに基づいて量子化すること、前記第２のＣＵは、前記第２の量子化グループ中の前記ＣＵのうちの１つである、と、
前記第２の量子化グループに関する局所的な量子化情報を、前記ビットストリームにおいてシグナリングすること、ここにおいて、前記クロマ量子化パラメータは、前記第２の量子化グループに関する前記局所的な量子化情報に少なくとも部分的に基づいて導出可能である、と、
前記第２のＣＵの前記量子化された変換係数を表す１つまたは複数のシンタックス要素を、前記ビットストリーム中に含めることと
を行うようにさらに構成される、［Ｃ４３］に記載の装置。
［Ｃ５１］
前記複数のＣＵは、第１の複数のＣＵであり、前記第１の複数のＣＵの各それぞれのＣＵは、それぞれのルーマコード化ブロックに対応し、クロマコード化ブロックに対応せず、前記量子化パラメータは、ルーマ量子化パラメータであり、前記現在の量子化グループは、第１の量子化グループであり、前記現在のＣＵは、第１のＣＵであり、
ルーマデルタ量子化パラメータは、前記第１の量子化グループに関する前記局所的な量子化情報から導出可能であり、
前記ルーマ量子化パラメータは、前記ルーマデルタ量子化パラメータに予測ルーマ量子化パラメータを足したもに基づき、
前記１つまたは複数のプロセッサは、
第２の複数のＣＵへの前記ＣＴＵの第２の区分化を決定すること、前記第２の複数のＣＵの各それぞれのＣＵは、それぞれのクロマコード化ブロックに対応し、ルーマコード化ブロックに対応せず、ここにおいて、前記ＣＴＵの前記第２の区分化は、前記ＣＴＵの前記第１の区分化とは異なる方法で前記ＣＴＵを区分化する、と、
前記ルーマデルタ量子化パラメータからクロマデルタ量子化パラメータを導出することと、
クロマ量子化パラメータを導出するために、前記クロマデルタ量子化パラメータを予測クロマ量子化パラメータに加算することと、
第２のＣＵの変換係数を、前記クロマ量子化パラメータに基づいて量子化すること、前記第２のＣＵは、前記第２の複数のＣＵの中にある、と、
前記第２のＣＵの前記量子化された変換係数を表す１つまたは複数のシンタックス要素を、前記ビットストリーム中に含めることと
を行うようにさらに構成される、［Ｃ４３］に記載の装置。
［Ｃ５２］
前記１つまたは複数のプロセッサは、前記クロマデルタ量子化パラメータを導出することの一環として、前記１つまたは複数のプロセッサが、
前記第２のＣＵのクロマコード化ブロックの左上クロマサンプルのような予め定義されているかまたはシグナリングされたクロマ位置に対応するルーマサンプルを決定することと、
前記クロマデルタ量子化パラメータが前記ルーマデルタ量子化パラメータに等しくなるように前記クロマデルタ量子化パラメータを導出すること、ここにおいて、前記ルーマデルタ量子化パラメータは、前記決定されたルーマサンプルに関連付けられる、と
を行うように構成される、［Ｃ５１］に記載の装置。
［Ｃ５３］
前記ルーマデルタ量子化パラメータは、第１のルーマデルタ量子化パラメータであり、前記１つまたは複数のプロセッサは、前記クロマデルタ量子化パラメータを導出することの一環として、前記１つまたは複数のプロセッサが、
前記第２のＣＵのクロマブロックのサンプルに対応するルーマサンプルについてのすべての異なるルーマデルタ量子化パラメータを識別すること、前記識別されたルーマデルタ量子化パラメータは、前記第１のルーマデルタ量子化パラメータを含む、と、
前記クロマデルタ量子化パラメータを導出するために、前記識別された異なるルーマデルタ量子化パラメータを平均化することと
を行うように構成される、［Ｃ５１］に記載の装置。
［Ｃ５４］
前記ルーマデルタ量子化パラメータは、第１のルーマデルタ量子化パラメータであり、前記１つまたは複数のプロセッサは、前記クロマデルタ量子化パラメータを導出することの一環として、前記１つまたは複数のプロセッサが、
複数の異なるルーマデルタ量子化パラメータを識別すること、前記複数の異なるルーマデルタ量子化パラメータは、前記第２のＣＵのクロマブロックのサンプルに対応するルーマサンプルについての各異なるルーマデルタ量子化パラメータを含み、前記複数の異なるルーマデルタ量子化パラメータは、前記第１のルーマデルタ量子化パラメータを含む、と、
前記クロマデルタ量子化パラメータを導出するために、前記複数の異なるルーマデルタ量子化パラメータを加重平均化することと
を行うように構成される、［Ｃ５１］に記載の装置。
［Ｃ５５］
前記１つまたは複数のプロセッサは、複数の重みを決定するようにさらに構成され、ここにおいて、前記複数の重みのそれぞれの重みごとに、前記それぞれの重みは、前記複数の異なるルーマデルタ量子化パラメータ中のそれぞれのルーマデルタ量子化パラメータに対応する前記第２のＣＵの前記クロマブロックのサンプルのフラクションに対応し、
前記１つまたは複数のプロセッサは、前記複数の異なるルーマデルタ量子化パラメータを前記加重平均化することの一環として、前記１つまたは複数のプロセッサが、複数の値を平均化するように構成され、前記複数の値中の各それぞれの値は、前記複数のルーマデルタ量子化パラメータ中のそれぞれのルーマデルタ量子化パラメータに、前記それぞれのルーマデルタ量子化パラメータに対応する前記複数の重み中のそれぞれの重みを乗じたものに等しい、
［Ｃ５４］に記載の装置。
［Ｃ５６］
前記複数のＣＵは、第１の複数のＣＵであり、前記第１の複数のＣＵの各それぞれのＣＵは、それぞれのルーマコード化ブロックに対応し、クロマコード化ブロックに対応せず、前記現在の量子化グループは、第１の量子化グループであり、前記量子化パラメータは、ルーマ量子化パラメータであり、前記閾値は、第１の閾値であり、前記現在のＣＵは、第１のＣＵであり、前記１つまたは複数のプロセッサは、
第２の複数のＣＵへの前記ＣＴＵの第２の区分化を決定すること、前記第２の複数のＣＵの各それぞれのＣＵは、それぞれのクロマコード化ブロックに対応し、ルーマコード化ブロックに対応せず、ここにおいて、前記ＣＴＵの前記第２の区分化は、前記ＣＴＵの前記第１の区分化とは異なる方法で前記ＣＴＵを区分化する、と、
クロマ量子化パラメータを、前記ルーマ量子化パラメータに基づいて導出することと
第２のＣＵの変換係数を、前記クロマ量子化パラメータに基づいて量子化すること、前記第２のＣＵは、前記第２の複数のＣＵの中にある、と、
前記第２のＣＵの前記量子化された変換係数を表す１つまたは複数のシンタックス要素を、前記ビットストリーム中に含めることと
を行うようにさらに構成される、［Ｃ４３］に記載の装置。
［Ｃ５７］
ビデオデータを復号するための装置であって、
現在の量子化グループに関する局所的な量子化情報を、前記ビデオデータの符号化表現を備えるビットストリームにおいて受信するための手段と、
複数のコード化単位（ＣＵ）への前記ビデオデータのピクチャのコード化ツリー単位（ＣＴＵ）の区分化を決定するための手段、前記複数のＣＵは、１つまたは複数の非正方形ＣＵを含む、と、
量子化パラメータを、前記現在の量子化グループに関する前記局所的な量子化情報に少なくとも部分的に基づいて導出するための手段、ここにおいて、前記現在の量子化グループは、前記現在の量子化グループの境界が必ず前記複数のＣＵ中の前記ＣＵの境界となり、かつ、前記現在の量子化グループのサイズが閾値以上となるような、コード化順序で連続したＣＵまたはコード化ブロックのグループとして定義され、前記複数のＣＵのうちの少なくとも１つのＣＵは、非正方形の量子化グループに含まれる、と、
現在のＣＵの少なくとも１つの変換係数を、前記量子化パラメータに基づいて逆量子化するための手段、前記現在のＣＵは、前記現在の量子化グループ中の前記ＣＵのうちの１つである、と、
前記現在のＣＵのコード化ブロックを、前記現在のＣＵの逆量子化された変換係数に基づいて再構築するための手段と
を備える、装置。
［Ｃ５８］
ビデオデータを符号化するための装置であって、
複数のコード化単位（ＣＵ）への前記ビデオデータのピクチャのコード化ツリー単位（ＣＴＵ）の区分化を決定するための手段、前記複数のＣＵは、１つまたは複数の非正方形ＣＵを含む、と、
現在のコード化単位（ＣＵ）の少なくとも１つの変換係数を、量子化パラメータに基づいて量子化するための手段、前記現在のＣＵは、現在の量子化グループ中にあるか、または前記現在の量子化グループ中のコード化ブロックに対応し、ここにおいて、前記現在の量子化グループは、前記現在の量子化グループの境界が必ず前記ＣＵの境界となり、かつ、前記現在の量子化グループのサイズが閾値以上となるような、前記複数のＣＵ中の、コード化順序で連続したＣＵのグループとして定義され、前記複数のＣＵのうちの少なくとも１つのＣＵは、非正方形の量子化グループに含まれる、と、
前記現在の量子化グループに関する局所的な量子化情報を、前記ビデオデータの符号化表現を備えるビットストリームにおいてシグナリングするための手段、ここにおいて、前記量子化パラメータは、前記現在の量子化グループに関する前記局所的な量子化情報に少なくとも部分的に基づいて導出可能である、と、
前記現在のＣＵの前記量子化された変換係数を表す１つまたは複数のシンタックス要素を、前記ビットストリーム中に含めるための手段と
を備える、装置。
［Ｃ５９］
命令を記憶したコンピュータ読取可能な記憶媒体であって、前記命令は、実行されると、１つまたは複数のプロセッサに、
現在の量子化グループに関する局所的な量子化情報を、前記ビデオデータの符号化表現を備えるビットストリームにおいて受信することと、
複数のコード化単位（ＣＵ）への前記ビデオデータのピクチャのコード化ツリー単位（ＣＴＵ）の区分化を決定すること、前記複数のＣＵは、１つまたは複数の非正方形ＣＵを含む、と、
量子化パラメータを、前記現在の量子化グループに関する前記局所的な量子化情報に少なくとも部分的に基づいて導出すること、ここにおいて、前記現在の量子化グループは、前記現在の量子化グループの境界が必ず前記ＣＵの境界となり、かつ、前記現在の量子化グループのサイズが閾値以上となるような、前記複数のＣＵ中の、コード化順序で連続したＣＵのグループとして定義され、前記複数のＣＵのうちの少なくとも１つのＣＵは、非正方形の量子化グループに含まれる、と、
現在のＣＵの少なくとも１つの変換係数を、前記量子化パラメータに基づいて逆量子化すること、前記現在のＣＵは、前記現在の量子化グループ中の前記ＣＵのうちの１つである、と、
前記現在のＣＵのコード化ブロックを、前記現在のＣＵの逆量子化された変換係数に基づいて再構築することと
を行わせる、コンピュータ読取可能な記憶媒体。
［Ｃ６０］
命令を記憶したコンピュータ読取可能な記憶媒体であって、前記命令は、実行されると、１つまたは複数のプロセッサに、
複数のコード化単位（ＣＵ）への前記ビデオデータのピクチャのコード化ツリー単位（ＣＴＵ）の区分化を決定すること、前記複数のＣＵは、１つまたは複数の非正方形ＣＵを含む、と、
現在のコード化単位（ＣＵ）の少なくとも１つの変換係数を、量子化パラメータに基づいて量子化すること、前記現在のＣＵは、現在の量子化グループ中にあるか、または前記現在の量子化グループ中のコード化ブロックに対応し、ここにおいて、前記現在の量子化グループは、前記現在の量子化グループの境界が必ず前記ＣＵの境界となり、かつ、前記現在の量子化グループのサイズが閾値以上となるような、前記複数のＣＵ中の、コード化順序で連続したＣＵのグループとして定義され、前記複数のＣＵのうちの少なくとも１つのＣＵは、非正方形の量子化グループに含まれる、と、
前記現在の量子化グループに関する局所的な量子化情報を、前記ビデオデータの符号化表現を備えるビットストリームにおいてシグナリングすること、ここにおいて、前記量子化パラメータは、前記現在の量子化グループに関する前記局所的な量子化情報に少なくとも部分的に基づいて導出可能である、と、
前記現在のＣＵの前記量子化された変換係数を表す１つまたは複数のシンタックス要素を、前記ビットストリーム中に含めることと
を行わせる、コンピュータ読取可能な記憶媒体。